(57)【要約】【課題】  ブレーキディスク間を通す編糸の位置を変更することができ、ブレーキディスク間の押圧も均一に行うことができる編糸用ブレーキを提供する。【解決手段】  回動環部材１２は、外周側に、編糸３の入側と出側とを案内する案内部が設けられ、回動させて、（ａ）とともに、（ｂ）や（ｃ）に示すように、編糸３がブレーキディスク４を通過する位置を調整することができる。ブレーキディスク４が回転する軸線１１ａに沿って押圧ばね９を設けるので、押圧も均一に行うことができる。【選択図】図１
2012117176.tif 000002
【特許請求の範囲】
【請求項１】
横編機の編糸供給経路で、揺動変位して編糸に張力を付与する棹状の張力ばねに、通過抵抗を与えながら編糸を供給する横編機の編糸用ブレーキにおいて、
共通の軸線に沿って対向するように配置され、編糸を挟む二枚のブレーキディスクと、
各ブレーキディスクを該軸線まわりの回転が可能な状態で背面側からそれぞれ支持する支持部材と、
二枚のうちの少なくとも一方のブレーキディスクの背面側を、該軸線に沿って押圧するばねと、
環状の形状を有し、内周側が二枚のブレーキディスクの一側方で支持部材による支持を受け、ブレーキディスクに臨む側面に、編糸の入側と出側とを案内する案内部が設けられ、支持部材に対する軸線まわりの回動で、案内部による編糸の案内位置を調整可能な回動環部材と、
を含むことを特徴とする横編機の編糸用ブレーキ。
【請求項２】
前記支持部材は、前記回動環部材の内周側を支持する支持部であって、径方向の外方に突出するように付勢され、径方向の内方にも没入可能な爪を有する支持部を備え、
回動環部材の内周側には、周方向に間隔をあけて、前記案内位置に対応する複数の位置に、該爪が突出して係合する位置決め係合部が設けられる、
ことを特徴とする請求項１記載の横編機の編糸用ブレーキ。
【請求項３】
前記一方のブレーキディスクを支持する支持部材は、該ブレーキディスクを支持する方向と逆方向の側面でも、該ブレーキディスクを含む二枚のブレーキディスクとは異なるブレーキディスクを、背面側から回転可能に支持することを特徴とする請求項１または２記載の横編機の編糸用ブレーキ。
【発明の詳細な説明】
【技術分野】
【０００１】
本発明は、横編機の編糸供給経路で、揺動変位して編糸に張力を付与する棹状の張力ばねに、通過抵抗を与えながら編糸を供給する横編機の編糸用ブレーキに関する。
【背景技術】
【０００２】
従来から、図５に一例として示すようなサイドテンション装置が横編機の針床の側方に設けられ、針床の編針への編糸供給経路で、編成時の編糸の張力変動を抑えるために使用されている（たとえば、特許文献１参照）。サイドテンション装置などの張力変動抑制装置には、通過する編糸に抵抗を与える編糸用ブレーキ１が使用される。特許文献１に示されるようなサイドテンション装置では、編糸用ブレーキ１から張力ばね２の揺動棹２ａの先端ガイド２ｂに編糸３を通して折返す経路を形成して、張力変動を抑えるバッファとしている。編糸３への抵抗は、二つのブレーキディスク４，５間に挟まれる区間で発生する。ブレーキディスク４，５は、支持部材６によって、共通な軸線まわりの回転が可能な状態で支持される。このような編糸用ブレーキ１は、紙面に垂直な方向に複数個が並設され、支持枠７で全体が支持される。各編糸用ブレーキ１の支持部材６を支持枠７で支持するために、支持軸８が紙面に垂直な方向に貫通している。支持軸８の一つには、押圧ばね９も設けられ、ブレーキディスク４，５間で編糸３を挟む押圧力を発生させる。支持軸８は、ブレーキディスク４，５の外部を通る。編糸３は、ブレーキディスク４，５の回転軸線となる編糸用ブレーキ１の中心軸１ａ付近を含めて、ブレーキディスク４，５間のどの部分でも通ることができる。
【０００３】
特許文献１には示されていないけれども、ブレーキディスク４，５間を編糸３が通る位置を規制するために、編糸用ブレーキ１の入側には二本のピン６ａ，６ｂが設けられ、出側には一本のピン６ｃが設けられる。たとえば、糸送りローラ１０から送り込まれる編糸３は、編糸用ブレーキ１の入側に、ピン６ａ，６ｂ間を通り、出側では張力ばね２の揺動変位が大きくなるとピン６ｃに掛かるようにしておく。張力ばね２の先端ガイド２ｂを通って折返される編糸３は、支持枠７に設ける出側ガイド７ａを通って、針床の編針に供給される。
【先行技術文献】
【特許文献】
【０００４】
【特許文献１】特開２０１０−１４４３０１号公報
【発明の概要】
【発明が解決しようとする課題】
【０００５】
図５に示すような編糸用ブレーキ１では、編糸３を案内するピン６ａ，６ｂ，６ｃの位置が固定されているので、入側でピン６ａ，６ｂ間に編糸３を通す場合、ブレーキディスク４，５間を通る位置が限られてしまう。しかしながら、編成条件や編糸３の素材の違いに応じて、ブレーキディスク４，５間を通す編糸３の位置の調整が必要となる場合がある。ピン６ａ，６ｂ間ではなく、外部を編糸３が通るようにすれば、ピン６ａ，６ｂ間を通す場合に比較して、ブレーキディスク４，５間を通る位置を変えることができる。ただし、編糸３を通しにくくなり、また、編糸３を通し直す場合に、以前どこに通していたのかが判らなくなってしまうおそれがある。さらに、押圧ばね９を設ける位置がブレーキディスク４，５の中心から離れるので、ブレーキディスク４，５間での編糸３に対する押圧力が偏ってしまう。
【０００６】
本発明の目的は、ブレーキディスク間を通す編糸の位置を調整することができ、ブレーキディスク間の押圧も均一に行うことができる編糸用ブレーキを提供することである。
【課題を解決するための手段】
【０００７】
本発明は、横編機の編糸供給経路で、揺動変位して編糸に張力を付与する棹状の張力ばねに、通過抵抗を与えながら編糸を供給する横編機の編糸用ブレーキにおいて、
共通の軸線に沿って対向するように配置され、編糸を挟む二枚のブレーキディスクと、
各ブレーキディスクを該軸線まわりの回転が可能な状態で背面側からそれぞれ支持する支持部材と、
二枚のうちの少なくとも一方のブレーキディスクの背面側を、該軸線に沿って押圧するばねと、
環状の形状を有し、内周側が二枚のブレーキディスクの一側方で支持部材による支持を受け、ブレーキディスクに臨む側面に、編糸の入側と出側とを案内する案内部が設けられ、支持部材に対する軸線まわりの回動で、案内部による編糸の案内位置を調整可能な回動環部材と、
を含むことを特徴とする横編機の編糸用ブレーキである。
【０００８】
また本発明で、前記支持部材は、前記回動環部材の内周側を支持する支持部であって、径方向の外方に突出するように付勢され、径方向の内方にも没入可能な爪を有する支持部を備え、
回動環部材の内周側には、周方向に間隔をあけて、前記案内位置に対応する複数の位置に、該爪が突出して係合する位置決め係合部が設けられる、
ことを特徴とする。
【０００９】
また本発明で、前記一方のブレーキディスクを支持する支持部材は、該ブレーキディスクを支持する方向と逆方向の側面でも、該ブレーキディスクを含む二枚のブレーキディスクとは異なるブレーキディスクを、背面側から回転可能に支持することを特徴とする。
【発明の効果】
【００１０】
本発明によれば、編糸の入側と出側とを案内する案内部が設けられる回動環部材を回動させて、ブレーキディスク間を通す編糸を案内する案内部の位置を調整することができる。ブレーキディスクが回転する軸線に沿って背面側を押圧するばねを設けるので、ブレーキディスク間の押圧も均一に行うことができる。
【００１１】
また本発明によれば、支持部材に設ける爪が回動環部材に設ける複数のうちのいずれかの位置決め係合部に係合するようにして、ブレーキディスクに通す編糸の位置を、容易に位置決めすることができる。
【００１２】
また本発明によれば、隣接する支持部材間で二枚のブレーキディスクを対向させて個別の編糸用ブレーキを形成しながら、隣接する個別の編糸用ブレーキ間で支持部材を、両側面でそれぞれブレーキディスクの背面側を回転可能に支持するように共用し、連続して複数の編糸用ブレーキを形成することができる。
【図面の簡単な説明】
【００１３】
【図１】図１は、本発明の一実施例としての編糸用ブレーキ１１の構成を示す右側面図である。
【図２】図２は、図１の編糸用ブレーキ１１の正面図および右側面図である。
【図３】図３は、図１の編糸用ブレーキ１１を構成部品に分解した状態について、一部を断面で示す平面図、および正面図である。
【図４】図４は、図１の編糸用ブレーキ１１を構成する主要な部品の右側面図である。
【図５】図５は、従来からの編糸用ブレーキ１の一例を示す右側面図である。
【発明を実施するための形態】
【００１４】
以下、図１〜図４で、本発明の一実施例としての編糸用ブレーキ１１について説明する。ただし、本実施例について、図５に示す編糸用ブレーキ１に関して説明している部分と対応する部分には、同一の参照符を付して、重複する説明を省略する場合がある。また各図の説明では、先に説明している部分について、当該図には示されていない参照符号を記載して言及する場合がある。
【実施例】
【００１５】
図１は、本発明の一実施例としての編糸用ブレーキ１１の構成を示す。編糸用ブレーキ１１も、横編機の編糸供給経路で、揺動変位して編糸３に張力を付与する棹状の張力ばね２を含むサイドテンション装置の糸送りローラ１０と張力ばね２との間に設けられる。編糸用ブレーキ１１は、通過抵抗を与えながら編糸３を供給するため、図５と同様に、共通の軸線に沿って対向するように配置されて編糸３を挟む二枚のブレーキディスク４，５を含む。ただし本図では、後述する図３（ｂ）に示す方向について図示するので、ブレーキディスク４のみを示す。
【００１６】
編糸用ブレーキ１１は、押圧ばね９、回動環部材１２および支持部材１６をさらに含む。支持部材１６は、各ブレーキディスク４，５を軸線１１ａまわりの回転が可能な状態で支持する。押圧ばね９は、この軸線１１ａに沿って、少なくとも一方、たとえば左のブレーキディスク４とその背面側の支持部材１６との間に挿入され、ブレーキディスク４を対向するブレーキディスク５に押圧する。回動環部材１２は、環状で、内周側の内面を、ブレーキディスク４を支持する支持部材１６によって軸線１１ａまわりの回動で位置調整が可能な状態で支持され、外周側に、編糸３の入側と出側とを案内する案内部が設けられる。編糸用ブレーキ１１では、回動環部材１２を回動させて、図１（ａ）とともに、図１（ｂ）や図１（ｃ）に示すように、編糸３がブレーキディスク４を通過する位置を調整することができる。
【００１７】
回動環部材１２の案内部としては、図５と同様に、編糸３の入側で、側面に間隔をあけて二本のピン１２ａ，１２ｂが立設され、編糸３の出側で、ピン１２ｃが立設される。支持部材１６は、支持枠１７に取付けられる。支持枠１７には、編糸３を針床側に供給する出口となる出側ガイド１７ａや、張力ばね２の先端が当たる際の緩衝材となるゴムクッション１７ｂも取付けられる。図１や図５に示す張力ばね２は、上方に揺動支点が設けられるけれども、揺動支点は、下方や側方に設けることもできる。
【００１８】
図２は、図１の編糸用ブレーキ１１を六個並設する状態を、（ａ）で正面から、（ｂ）で右側面からそれぞれ示す。ブレーキディスク４，５は、同一部品を面対称に対向させて使用し、隣接する支持部材１６間で支持する。支持部材１６は、両側でブレーキディスク４，５をそれぞれ支持し、右側では回動環部材１２も支持する。すなわち、支持部材１６は、両側面でそれぞれブレーキディスク４，５の背面側を回転可能に支持するように、隣接する編糸用ブレーキ１１間で共用しながら、連続して複数の編糸用ブレーキ１１を形成することができる。全体の右端には、左側でブレーキディスク５を支持し、右側ではブレーキディスク４を支持しない片側用の支持部材１５が使用される。右端でも、両側でブレーキディスク４，５を支持可能な支持部材１６を使用し、右側は使用しないようにしてもよい。また、支持部材１６の両側面でブレーキディスクを支持する構成を、二つの支持部材に分け、個別の編糸用ブレーキが二つの支持部材を有するようにしてもよい。
【００１９】
図３は、図１の編糸用ブレーキ１１を構成部品に分解した状態を、（ａ）で一部を断面として平面から、（ｂ）で正面から、それぞれ示す。また、図３（ｂ）に示す面視線Ｉ−Ｉは、図１を右側面図として見る位置および方向を示す。
【００２０】
支持部材１６は、ブレーキディスク４，５毎に、対向する背面側に設けられ、ブレーキディスク４，５を軸線１１ａまわりに回転可能に支持すディスク支持部１６ａ，１６ｂをそれぞれ有する。ディスク支持部１６ａの径方向の外方には、回動環支持部１６ｃが設けられ、回動環部材１２の内周側に挿入される状態で支持する。ディスク支持部１６ａに対する軸線１１ａ方向の左側には、コイル状の押圧ばね９の内部に挿入されるボス１６ｄが設けられている。押圧ばね９の右端部は、ブレーキディスク４を、他方側のブレーキディスク５に対して押圧する。ブレーキディスク４が回転する軸線１１ａに沿って押圧ばね９を設けるので、ブレーキディスク４，５間の押圧も均一に行うことができる。回転環部材１２の内周側に挿入する回動環支持部１６ｃには、先端に突起１６ｅ、外周面に爪１６ｆが設けられる。支持部材１６のディスク支持部１６ｂ側の側面には、連結部１６ｇが設けられる。隣接する支持部材１６同士は、連結部１６ｇを介して、一定の間隔を保つように連結される。
【００２１】
図４は、図１の編糸用ブレーキ１１を構成する主要な部品となる支持部材１６、回動環部材１２およびブレーキディスク４を右側面から示す。支持部材１６の回転環支持部１６ｃに設ける爪１６ｆは、外周部分の一部が片状に分離して形成され、突端が径方向の外方に突出しているけれども、片状部分の弾性変形で、突端は径方向の内方に没入することもできる。回動環部材１２は、内面１２ｄが支持部材１６の回動環支持部１６ｃの外周面に装着される状態で支持される。内面１２ｄには、支持部材１６の突起１６ｅが通過可能な凹部１２ｅ、爪１６ｆが係合可能な位置決め係合部１２ｆ，１２ｇ，１２ｈがそれぞれ設けられる。回動環部材１２に設ける三つの凹部１２ｅの位置を支持部材１６の三つの突起１６ｅの位置に同時に合わせれば、回動環部材１２を支持部材１６に対して軸線１１ａ方向に着脱することができる。回動環部材１２を支持部材１６に装着して、軸線１１ａまわりに回動させれば、爪１６ｆの突端が位置決め係合部１２ｆ．１２ｇ，１２ｈのいずれかと係合する位置で、停止する。爪１６ｆの突端が位置決め係合部１２ｆ，１２ｇ，１２ｈに係合する位置は、図１の（ａ），（ｂ），（ｃ）にそれぞれ対応している。これらの停止位置間で回動環部材１２を回動させる際には、爪１６ｆの弾性変形で突端が径方向の内方に引込む状態となる。回動環部材１２の外周側には、手で回動する際に指を掛けることができる凸部１２ｉも設けられている。
【００２２】
なお、軸線１１ａに沿う方向に関しては、左右を逆にしてもよいことはもちろんである。また、ブレーキディスク４，５間に通す編糸３の調整位置は、三つに限らず、位置決め係合部１２ｆ，１２ｇ，１２ｈの数に応じて変えることができる。押圧ばね９は、ブレーキディスク５側に設けることもできるけれども、回動環部材１２の内側となるブレーキディスク４側の方がコンパクトに収容することができる。回動環部材１２に設ける案内部として、ピン１２ａ，１２ｂ，１２ｃを用いているけれども、スリットやローラなどを用いることもできる。
【符号の説明】
【００２３】
２  張力ばね
３  編糸
４，５  ブレーキディスク
９  押圧ばね
１１  編糸用ブレーキ
１１ａ  軸線
１２  回動環部材
１２ａ，１２ｂ，１２ｃ  ピン
１２ｆ，１２ｇ，１２ｈ  位置決め係合部
１５，１６  支持部材
１６ａ，１６ｂ  ディスク支持部
１６ｃ  回動環支持部
１６ｆ  爪
【図１】
2012117176.tif 000003
【図２】
2012117176.tif 000004
【図３】
2012117176.tif 000005
【図４】
2012117176.tif 000006
【図５】
2012117176.tif 000007